(57)【要約】【課題】パネルの下方への押し付け作業の作業性を向上させる。【解決手段】押し付け具９とベース１３からなる下方押し込み手段と下方水密部材６を備えた止水パネルであって、ベース１３は被押圧部１３０を備え、パネル上面に幅方向に移動可能に載置され、押し付け具９は掴持部９０と押圧部９２を備え、押圧姿勢と収納姿勢との間で変更可能なようにベース１３に対して可動に連結されており、押圧姿勢では、掴持部９０が縦枠３を掴持可能な位置にあり、押圧部９２が被押圧部１３０を押圧可能な位置にあり、収納姿勢では、掴持部９０を含む押し付け具９全体が当該止水パネルの直上に位置し、押し付け具９はベース１３に仮固定可能である。【選択図】図１８
2019078000.tif 000002
【特許請求の範囲】
【請求項１】
下面に幅方向に亘って設けた下方水密部材と、
上端の幅方向両端部に設けた下方押し込み手段と、
を備え、
前記下方押し込み手段によって前記下方水密部材が床面に圧接された状態で建物開口部に取り付けられる止水パネルであって、
前記下方押し込み手段は、
当該止水パネルの上面に幅方向に移動可能に載置されるベースと、
縦枠に係止する係止部と、前記ベースを押圧することで当該止水パネルに下向きの力を作用させる押圧部とを備えた押し付け具と、を備え、
前記押し付け具は、前記ベースに対して押圧姿勢と収納姿勢の間で姿勢変更可能であり、
押圧姿勢では、前記係止部は、前記縦枠に係止可能なように平面視において前記止水パネルの面部から突出しており、
収納姿勢では、前記係止部は、平面視において前記止水パネルの厚さ内に納まるか、あるいは、前記押圧姿勢時よりも小さい突出寸法で前記止水パネルの面部から突出しており、前記押し付け具は前記ベースに仮固定可能となっている、
止水パネル。
【請求項２】
前記係止部は、第１の方向に延びる少なくとも１つの短辺と、第２の方向に延びる少なくとも１つの長辺と、を備え、
収納姿勢では、前記押し付け具は、前記係止部の前記長辺が前記止水パネルの幅方向に沿って延び、前記短辺が前記止水パネルの厚さ方向に延びる第２の向きにあり、
押圧姿勢では、前記押し付け具は、前記係止部の前記長辺が前記止水パネルの厚さ方向に延び、前記短辺が前記止水パネルの幅方向に延びる第１の向きにある、
請求項１に記載の止水パネル。
【請求項３】
収納姿勢では、前記係止部を含む押し付け具全体が当該止水パネルの直上に位置する、
請求項１、２いずれか１項に記載の止水パネル。
【請求項４】
前記押圧部は螺子を備えており、押圧時には、前記螺子が回転することで、当該螺子の下端が前記ベースを押圧可能であり、収納時には、前記螺子が前記ベースに形成された第１螺子孔に螺合することで前記押し付け具は前記ベースに仮固定可能である、
請求項１〜３いずれか１項に記載の止水パネル。
【請求項５】
前記押し付け具は、押圧姿勢と収納姿勢との間で変更可能なように前記ベースに対して可動に連結されている、
請求項１〜４いずれか１項に記載の止水パネル。
【請求項６】
前記押し付け具は、軸部を介して前記ベースに連結されており、
前記押し付け具には、前記軸部の挿通孔が形成されており、
前記押し付け具は、前記軸部を中心として、前記ベースに対して回動可能である、
請求項５に記載の止水パネル。
【請求項７】
前記軸部には雄螺子が形成されており、前記軸部の雄螺子は前記ベースの第２螺子孔に螺合されており、
押圧時に、前記ベース及び前記軸部が、当該止水パネルと一体で下動する、
請求項６に記載の止水パネル。
【請求項８】
押圧前に、前記軸部の頭部が前記挿通孔の上方に離間しており、押圧時に、前記軸部が下動して前記頭部が前記挿通孔の周縁部に当接可能となっている、
請求項７に記載の止水パネル。
【請求項９】
前記止水パネルは、当該止水パネルの前記面部の幅方向両端部位に高さ方向に亘って設けた左右の側方水密部材を備えており、
前記止水パネルは、前記下方水密部材が前記床面に圧接され、前記側方水密部材が前記縦枠に圧接された状態で建物開口部の室外側下方部位に取り付けられ、
前記押し付け具は、前記押圧部によって斜め下向きの力を前記止水パネルに作用させて、前記下方水密部材及び前記側方水密部材を圧接する、
請求項１〜８いずれか１項に記載の止水パネル。
【発明の詳細な説明】
【技術分野】
【０００１】
本発明は、止水パネルに係り、詳しくは、建物開口部の下方部位に取り付けて防水構造を構成する止水パネルに関するものである。
【背景技術】
【０００２】
建物開口部を開閉する扉装置は、室内への雨水の浸入を防止する機能を備えているが、台風等による集中豪雨や局所的な豪雨（いわゆるゲリラ豪雨）が発生した場合の増水時には、建物開口部と、閉鎖姿勢の扉体との隙間から建物内への浸水のおそれがある。
【０００３】
本出願人は、建物開口部の下方部位に取り付けて防水構造を構成する止水パネルを提案している（特許文献１）。この止水パネルは、パネルの幅方向両端部位に高さ方向に亘って設けた左右の側方水密部材、パネル本体下面に幅方向に亘って設けた下方水密部材、固定手段を備え、下方水密部材を前記床面に圧接し、側方水密部材を前記縦枠の室外側見付面に圧接した状態で、固定手段の掛止部を建物開口部両端の縦枠の室内側角部に掛止させ、固定手段の締め具によって建物開口部の室外側下方部位に取り付けられる。止水パネルの水密性能において、水密部材によって扉体と建物開口部の隙間を閉塞することが重要であり、水密部材の押し付け作業は重要である。水密部材の押し付け作業が不十分であると、適切な防水性能が発揮できないおそれがある。
【０００４】
止水パネルの下端と床面の良好な防水性能を確保するためには、押し付け具を用いて止水パネルを下方に押し込んで下方水密部材を床面に圧接することが考えられるが、この場合、以下の課題がある。
（ア）止水パネルと別体の押し付け具を採用した場合には、いざ止水パネルを設置しようとした時に、押し付け具がすぐに見つからないような事態は避けなければならない。
（イ）止水パネルの設置時に、押し付け具の位置の調整が必要な場合があり、その場合、手間をかけずに容易に押し付け具の位置調整を行うことが望ましい。
（ウ）止水パネルの雨天時にのみ使用するものであることから、保管および持ち運びが容易であり、また、なるべく省スペースで保管できることが望ましい。
【特許文献１】特開２０１６−２８１８２号
【発明の開示】
【発明が解決しようとする課題】
【０００５】
本発明は、上記課題の１つあるいは複数を解決することができる止水パネルを提供することを目的とする。
【課題を解決するための手段】
【０００６】
本発明が採用した技術手段は、
下面に幅方向に亘って設けた下方水密部材と、
上端の幅方向両端部に設けた下方押し込み手段と、
を備え、
前記下方押し込み手段によって前記下方水密部材が床面に圧接された状態で建物開口部に取り付けられる止水パネルであって、
前記下方押し込み手段は、
当該止水パネルの上面に幅方向に移動可能に載置されるベースと、
縦枠に係止する係止部と、前記ベースを押圧することで当該止水パネルに下向きの力を作用させる押圧部とを備えた押し付け具と、を備え、
前記押し付け具は、前記ベースに対して押圧姿勢と収納姿勢の間で姿勢変更可能であり、
押圧姿勢では、前記係止部は、前記縦枠に係止可能なように平面視において前記止水パネルの面部から突出しており、
収納姿勢では、前記係止部は、平面視において前記止水パネルの厚さ内に納まるか、あるいは、前記押圧姿勢時よりも小さい突出寸法で前記止水パネルの面部から突出しており、前記押し付け具は前記ベースに仮固定可能となっている、
止水パネル、である。
押し付け具の前記係止部は、後述する実施形態では、断面視コ字形状を備えた掴持部であるが、例えば、断面視Ｌ形状の要素でもよく、この断面視Ｌ形状の要素が縦枠に当接した状態で押圧部がベースを押圧するような係止部でもよい。
１つの態様では、前記係止部は、第１の方向に延びる少なくとも１つの短辺と、第２の方向に延びる少なくとも１つの長辺と、を備え、
収納姿勢では、前記押し付け具は、前記係止部の前記長辺が前記止水パネルの幅方向に沿って延び、前記短辺が前記止水パネルの厚さ方向に延びる第２の向きにあり、
押圧姿勢では、前記押し付け具は、前記係止部の前記長辺が前記止水パネルの厚さ方向に延び（止水パネルの面部に実質的に垂直である）、前記短辺が前記止水パネルの幅方向に延びる（止水パネルの面部に実質的に平行する）第１の向きにある。
１つの態様では、収納姿勢では、前記係止部を含む押し付け具全体が当該止水パネルの直上に位置する。
【０００７】
１つの態様では、前記押圧部は螺子を備えており、押圧時には、前記螺子が回転することで、当該螺子の下端が前記ベースを押圧可能であり、収納時には、前記螺子が前記ベースに形成された第１螺子孔に螺合することで前記押し付け具は前記ベースに仮固定可能である。
１つの態様では、前記ベースは被押圧部と仮固定部を備え、前記押し付け具が押圧姿勢にある時に前記螺子が前記被押圧部の上方に位置して当該被押圧部を押圧可能となっており、収納姿勢にある時に前記螺子が前記仮固定部の上方に位置して当該仮固定部に仮固定可能となっている。
１つの態様では、前記螺子の軸部は、先端が前記係止部（掴持部）に近づくような傾斜姿勢にあり、収納姿勢では、止水パネル端部に向かって斜め下向きに延びており、押圧姿勢では、止水パネルの第１面部から第２面部に向かって斜め下向きに延びている。
【０００８】
１つの態様では、前記押し付け具は、押圧姿勢と収納姿勢との間で変更可能なように前記ベースに対して可動に連結されている。
１つの態様では、前記押し付け具は、軸部を介して前記ベースに連結されており、前記押し付け具には、前記軸部の挿通孔が形成されており、前記押し付け具は、前記軸部を中心として、前記ベースに対して回動可能である。
１つの態様では、前記挿通孔はルーズ孔であり、後述する実施形態では長孔であるが、丸孔であってもよい。  
【０００９】
１つの態様では、前記軸部には雄螺子が形成されており、前記軸部の雄螺子は前記ベースの第２螺子孔に螺合されており、
押圧時に、前記ベース及び前記軸部が、当該止水パネルと一体で下動する。
１つの態様では、押圧前に、前記軸部の頭部が前記挿通孔の上方に離間しており、押圧時に、前記軸部が下動して前記頭部が前記挿通孔の周縁部に当接可能となっている。
押圧前の状態において、前記軸部は前記挿通孔の上側に位置する上側部位を有し、前記上側部位の高さ寸法によって下方水密部材の適切な圧縮の程度を設定できる。
【００１０】
１つの態様では、当該止水パネルの上端には、前記上面を底面とする溝部が形成されており、前記ベースは前記溝部内を幅方向に移動可能となっている。
１つの態様では、当該止水パネルの幅方向両端には、当該止水パネルの側面を塞ぐ塞ぎプレートが設けてあり、前記塞ぎプレートの上端部位は、前記上面を越えて延びており、前記溝部の幅方向端部を塞いでいる。
【００１１】
１つの態様では、前記係止部（掴持部）は、対向する第１辺と第２辺を備え、押圧時には、前記第１辺の少なくとも部分、前記第２辺の少なくとも部分がそれぞれ前記縦枠の見付面に当接することで、前記第１辺と前記第２辺間に前記縦枠を掴持する。
１つの態様では、前記第１辺及び前記第２辺の寸法は、止水パネルの厚さ方向と略同じであり、押し付け具の収納姿勢において、前記係止部（掴持部）の前記第１辺及び前記第２辺は、止水パネルの厚さ方向（見込方向）に延びている。
１つの態様では、前記押圧部に対して、前記第１辺が遠い側、前記第２辺が近い側に位置しており、
前記第１辺及び前記第２辺は、前記押圧部による前記パネル本体の下方への押圧時の反力によって、前記第１辺の上端が対応する見付面から離れ、前記第２辺の下端が対応する見付面から離れるように傾動可能に構成されており、
下端部位が縦枠の見付面に当接した第１辺と上端部位が縦枠の見付面に当接した第２辺との間で前記縦枠を掴持する。
１つの態様では、前記第１辺と前記第２辺間の距離は、前記第１辺、前記第２辺がクリアランスを存して前記縦枠に近接対向する寸法となっている。
１つの態様では、前記係止部（掴持部）が前記縦枠を掴持した状態で、前記第１辺の前記下端部位、前記第２辺の前記上端部位の一方あるいは両方は、縦枠の見付面に面接触する。
１つの態様では、前記第１辺の前記下端部位が縦枠の見付面に面接触する場合には、当該下端部位は、前記第２辺の下端よりも下方に延びる下側延長部であり、
前記第２辺の前記上側部位が縦枠の見付面に面接触する場合には、当該上端部位は、前記第１辺の上端よりも上方に延びる上側延長部である。
１つの態様では、押し付け具の収納姿勢において、前記係止部（掴持部）の前記第２辺の下側延長部が止水パネル側面（塞ぎプレート）の上端に係止することで、前記押し付け具及び前記ベースのパネル幅方向の位置決めが行われる。
１つの態様では、前記第１辺の前記下端部位、前記第２辺の前記上端部位の接触面（縦枠の見付面に接触する内面）の一方あるいは両方は、前記第１辺及び前記第２辺の傾動前姿勢において、縦枠の見付面（典型的には垂直面）に対して傾斜状の傾斜面であり、前記第１辺及び前記第２辺の傾動姿勢において、縦枠の見付面に面接触する。
１つの態様では、前記第１辺及び第２辺の内面において、少なくとも前記縦枠の見付面に当接する部位には、当該第１辺及び第２辺を形成する材質よりも柔軟な当接シートが設けてある。当接シートは、押し付け具を用いたパネル本体の押圧時における、ズレ止め機能及び縦枠の保護機能を提供する。当接シートは、例えば、樹脂やゴムから形成される。
【００１２】
１つの態様では、前記止水パネルは、当該止水パネルの第２面部の幅方向両端部位に高さ方向に亘って設けた左右の側方水密部材を備えており、
前記止水パネルは、前記下方水密部材が前記床面に圧接され、前記側方水密部材が前記縦枠の室外側見付面に圧接された状態で建物開口部の室外側下方部位に取り付けられ、
前記押し付け具は、前記傾斜姿勢にある軸部によって斜め下向きの力を前記止水パネルに作用させて、前記下方水密部材及び前記側方水密部材を圧接する。
１つの態様では、前記押し付け具が、前記側方水密部材の圧接手段及び当該止水パネルの建物開口部への取付手段を兼用する。
１つの態様では、前記止水パネルは、可撓性長尺部と、可撓性長尺部の一端側の掛止部と、可撓性長尺部の他端側の締め具と、からなる固定手段によって建物開口部へ取り付けられ、より具体的には、前記止水パネルは、当該止水パネルを押し込むことで前記下方水密部材を床面に圧接し、前記掛止部を建物開口部両端の縦枠の室内側見付面と見込面とで形成される室内側角部に掛止させた状態で、前記締め具によって前記可撓性長尺部を引張することで、建物開口部の室外側下方部位に取り付けられる。
１つの態様では、固定手段によって止水パネルを取り付けた状態で、さらに、前記押し付け具によって止水パネルを下方に押し込むことで、下方水密部材をさらに床面に圧接させる。
【発明の効果】
【００１３】
本発明では、前記押し付け具は、前記ベースに対して押圧姿勢と収納姿勢の間で姿勢変更可能であり、押圧姿勢では、前記係止部は、前記縦枠に係止可能なように平面視において前記止水パネルの面部から突出しており、収納姿勢では、前記係止部は、平面視において前記止水パネルの厚さ内に納まるか、あるいは、前記押圧姿勢時よりも小さい突出寸法で前記止水パネルの面部から突出しており、前記押し付け具は前記ベースに仮固定可能となっているので、押し付け具を収納姿勢とすることで、収納時にパネルをより省スペースで収納することができ、止水パネルの設置時には、仮固定を解除して収納姿勢にある押し付け具を押圧姿勢として押し込み操作を行うことができる。
特に、収納姿勢において、押し付け具が止水パネルの直上に位置するものでは（特に、押し付け具が止水パネルの厚さ内に実質的に納まる場合には）、押し付け具が止水パネルの面部から出っ張ることを極力防止でき、パネルをより省スペースで収納することができ、収納時に複数枚のパネルを重ねて収納することも可能となる。
押し付け具が、押圧姿勢と収納姿勢との間で変更可能なようにパネル上面に取り付けたベースに対して可動に連結されているものでは、押し付け具を収納姿勢とすることで、止水パネルと一体で持ち運び、保管することができ、押し付け具の紛失のおそれがなく、止水パネルの設置時には、仮固定を解除して収納姿勢にある押し付け具を押圧姿勢として押し込み操作を行うことができ、簡単な操作で効率的に設置作業を行うことができる。
本発明では、押し込み具は、止水パネルの上面に幅方向に移動可能に載置されるベースに対して可動に連結されているので、現場での押し付け具の位置調整が必要な場合、例えば、止水パネルが設けられる建物開口部の実測寸法に誤差があった場合であっても、押し付け具をパネル本体の幅方向に移動調整することができる。
【図面の簡単な説明】
【００１４】
【図１】建物開口部の室外側の下方部位に取り付けられた止水パネルを示す正面図である。
【図２】本実施形態に係る止水パネルの正面図（室内側面部）である。本図において、押し付け具は収納姿勢にあり、また、固定手段の掛止部は省略されている。
【図３】図２の縦断面図である。
【図４】（Ａ）は、建物開口部（全閉状態）の室外側の下方部位に取り付けられた止水パネルを示す平面図である。（Ｂ）は、建物開口部（全開状態）の室外側の下方部位に止水パネルを取り付ける前段階（固定手段によりパネル本体を固定する前）を示す平面図である。
【図５】本実施形態のパネル本体を構成するパネルを示し、（Ａ）はガイドプレート及び取付プレートが設けられた部位における縦断面図、（Ｂ）は側面図である。
【図６】図５（Ｂ）において、固定手段のベルトが引き出された状態を示す図である。
【図７】止水パネルの固定手段を示す図である。
【図８】（Ａ）はガイドプレートを示す図であり、（Ｂ）は取付プレートを示す図である。
【図９】建物開口部左右端部の縦枠に取り付けられた止水パネルを示す部分平面図であり、側方水密部材は圧縮状態にある。
【図１０】建物開口部左右端部の縦枠に取り付けられた止水パネルを示す部分平面図であり、側方水密部材は圧縮状態にある。ベルトの第２部分の基端部位（ガイド部）が、掛止部よりも内側に位置している。
【図１１】図４（Ｂ）の部分拡大図である。
【図１２】図４（Ａ）の部分拡大図である。
【図１３】押し付け具（押し付け金具）を示す図である。
【図１４】ベース（台座金具）を示す図である。
【図１５】（Ａ）は止水パネルの一部切り欠き部分平面図であって、押し付け具を取り外した状態（ベースのみが装着された状態）を示している。（Ｂ）は図１５（Ａ）を第２面部側から見た正面図であり、一部切り欠いて内部を示している。
【図１６】図１５の縦断面図である。
【図１７】（Ａ）は止水パネルの部分平面図であって、押し付け具は収納姿勢にある。（Ｂ）は止水パネルの部分正面図であって、押し付け具は収納姿勢にある（図２の部分拡大図である）。
【図１８】（Ａ）は図１７（Ａ）の部分拡大図である。（Ｂ）は図１７（Ｂ）の部分拡大図である。
【図１９】（Ａ）は止水パネルの部分平面図であって、押し付け具は押圧姿勢にある。（Ｂ）は止水パネルの部分正面図であって、押し付け具は押圧姿勢にある。
【図２０】（Ａ）は図１９（Ａ）の部分拡大図である。（Ｂ）は図１９（Ｂ）の部分拡大図である。
【図２１】図１の部分拡大図であり、押し付け具は押圧姿勢にある。
【図２２】図２１の部分拡大図であり、溝内に位置するベースの部分を点線で示している。
【図２３】押圧姿勢（押圧前）にある止水パネルの側面図である。
【図２４】（Ａ）は、パネル本体が下方に押圧された状態（下方水密部材の圧縮）を示す縦断面図である。（Ｂ）は、パネル本体が下方に押圧される前の状態を示す縦断面図である。
【図２５】図２４（Ａ）、（Ｂ）と類似の図であり、パネルの下方押し込み手段の作用を説明する図である。
【発明を実施するための形態】
【００１５】
［Ａ］止水パネルの全体構成
本発明の実施形態を図面に基づいて説明する。図１は本実施形態に係る止水パネルが設置された建物開口部の正面図である。図示の態様では、止水パネルは、２枚のスライド扉体１からなる自動ドアによって開閉される建物開口部の下方部位の室外側に設置される。建物開口部は、左右の壁ないし固定パネル２の端部に設けた左右の縦枠（方立て）３間に形成されている（図４（Ｂ）参照）。縦枠３は、断面視方形状を有しており、室外側の第１見付面３０、室内側の第２見付面３１、建物開口部に面する第１見込面３２、第１見込面３２と反対側の第２見込面３３を備えている（図９、図１０、図２０（Ａ）参照）。
【００１６】
図１、図２、図４に示すように、止水パネルは、開口幅方向に横長の長方形のパネル本体４を備えている。パネル本体４は、建物開口部に設置した時に室外側に面する第１面部４０と、第１面部４０の反対側の（室内側に面する）第２面部４１と、上面４２と、下面４３と、左右の側面を密閉する塞ぎプレート４４と、を備えており、第２面部４１を室内側に向けて、建物開口部の下方部位の室外側に取り付けられる。パネル本体４の第２面部４１の上方部位には取手４５が設けてある。本明細書において、パネル本体４の幅方向とは、左右方向、すなわち横幅方向を意味する。幅方向外側は、パネル本体４の左右の端部に近い側を意味し、幅方向内側は、パネル本体４の幅方向中央に近い側を意味する。
【００１７】
止水パネルは、さらに、パネル本体４の第２面部４１の幅方向両端部位に高さ方向に亘って設けた左右の側方水密部材５と、パネル本体４の下面４３に幅方向に亘って設けた下方水密部材６と、左右の側方水密部材５にそれぞれ隣接してパネル本体４の第２面部４１に設けた左右の当接部材７と、パネル本体４の第２面部４１の幅方向両端にそれぞれ設けた固定手段８と、パネル本体４の幅方向両端の上端部位にそれぞれ設けた押し込み手段（押し付け具９、ベース１３）と、を備えている。
【００１８】
図７に示すように、固定手段８は、帯状のベルト８０と、ベルト８０の第１端部８００に設けた掛止部８１と、ベルト８０の第２端部８０１に設けた締め具８２と、からなる。止水パネルは、下方水密部材６を床面ＦＬに圧接し、固定手段８の掛止部８１を建物開口部両端の縦枠３の室内側角部に掛止させた状態で、固定手段８の締め具８２によってベルト８０を引張することで、下方水密部材６を床面ＦＬに圧接させ、かつ、側方水密部材５を縦枠３の第１見付面３０に圧接した状態で、建物開口部の室外側下方部位に取り付けられる。固定手段８の締め具８２を締めた後で、さらに、押し込み手段によってパネル本体４の上面４２を上から下方向に押し込んで下方水密部材６を床面ＦＬに押し付けて圧接させることで、止水パネル下端の水密性能を確保する。なお、本明細書において、床面は、建物開口部の下面を広く含み、床面には沓摺や下枠を含む。
【００１９】
開口部全閉時（図４（Ａ）、図１２参照）において、扉体１の戸尻側縦框１ａと縦枠３（第２見付面３１）との間には隙間が存在しており、また、開口部全開時（図４（Ｂ）、図１１参照）において、扉体１の戸先側縦枠１ｂと縦枠３（第２見付面３１）との間には隙間が存在しており、この隙間を利用して固定手段８の掛止部８１を縦枠３の室内側角部に掛止させることができ、また、止水パネルを取り付けた状態において、掛止状態にある掛止部８１が妨げとなることなく、扉体１の開閉が可能であり、建物開口部を開放して止水パネルを跨いで出入りすることができる。なお、止水パネルの設置対象は、スライド式のドアに限定されるものではなく、２枚の扉体からなる両開きドアによって開閉される建物開口部の下方部位の室外側に設置されてもよい。この場合、側方水密部材５、当接部材７を、パネル本体４の第２面部４１に固定したスペーサ（特許文献１参照）に設けてもよい。
【００２０】
パネル本体４の幅寸法は、止水パネルが設置される開口幅寸法（左右の縦枠３の第１見込面３２間の距離）よりも幾分（例えば＋１００ｍｍ）大きい寸法を備えており、パネル本体４の第２面部４１の幅方向両端部位が左右の縦枠３の第１見付面３０に対向するようになっている。パネル本体４は、想定水位（例えば、床面から４００ｍｍ）よりも大きい高さ寸法（例えば、５００ｍｍ）を備えている。図示の態様では、パネル本体４は、低背の２枚のパネル４Ａ、４Ｂを高さ方向に重ねて連結することで構成されている（図１、図３参照）。パネル４Ａの下端とパネル４Ｂの上端との間には全幅に亘って防水テープ（図示せず）が設けてあり、パネル本体４の正面（高さ方向中央部位）からの水の浸入を防止している。図示の態様では、パネル４Ａ、４Ｂの２部材を高さ方向に連結してパネル本体４を形成しているが、パネル本体４を一部材から一体的に形成してもよい。
【００２１】
図２、図１７（Ｂ）、図１９（Ｂ）に示すように、パネル本体４の第２面部４１は、高さ方向の２箇所（各パネル４Ａ、４Ｂの高さ方向中間部位）において幅方向に亘って切り欠かれており横長の開口４１０が形成されている。開口４１０は上側垂直片４１１と下側垂直片４１２との間に形成されている。図５、図６に示すように、パネル４Ａ、４Ｂの内部には、２つの水平状の中間壁４６、４７が高さ方向に間隔を存して形成されており、上下の中間壁４６、４７間に開口４１０が形成されている。図５に示すように、上側垂直片４１１は上側の中間壁４６の第２面部４１寄りの部位から垂下しており、下側垂直片４１２は下側の中間壁４７の第２面部４１寄りの部位から立ち上がり形成されている。上側垂直片４１１及び下側垂直片４１２は、第２面部４１に対してパネル４Ａ、４Ｂの内方に位置している。なお、図示の態様では、パネル本体４の第２面部４１に開口４１０を形成しているが、第２面部４１は必ずしも開口を備えていなくてもよい。
【００２２】
パネル本体４の第２面部４１の幅方向両端部には、全高に亘って側方水密部材５が突設されており、側方水密部材５の下端面は、パネル本体４の下面４３を超えて下方に突出している。パネル本体４の下面４３には、全幅に亘って下方水密部材６が設けてある。側方水密部材５の下端面と下方水密部材６の下端部は略同一水平面上にある。パネル本体４には、幅方向両端の側方水密部材５及び下端の下方水密部材６の三方において水密部材が連続状に設けられている。側方水密部材５及び下方水密部材６は、弾性部材であり、止水パネルの取付時の押圧力である程度圧縮され、圧縮状態で縦枠３の第１見付面３０、床面ＦＬに密着して三方連続状の水密構造を提供する。本実施形態では、側方水密部材５、下方水密部材６は、シリコーンスポンジから形成されているが、その他、クロロプレンゴム、ＥＰＤＭ等から形成してもよい。
【００２３】
図３、図２４に示すように、パネル本体４の下面４３の室内側端部（第２面部４１側）には、下面４３よりも下方に垂直に延びる垂直片４３０が形成されている。下方水密部材６は水平面と垂直面と傾斜面とから断面視直角三角形の形状を有し、水平面を下面４３に当接させ、垂直面の上半部を垂直片４３０に当接させてパネル本体４の下面４３に取り付けられている。垂直片４３０は、下方水密部材６の垂直面の上半部に当接支持することで、下方水密部材６が倒れることを防止している。下方水密部材６の下端は、垂直面と傾斜面から形成されており、下方水密部材６が床面ＦＬに圧接された状態において垂直片４３０の下端は床面ＦＬから上方に離間している。
【００２４】
第２面部４１の幅方向両端部には、側方水密部材５の内側（開口幅方向端部から離間する側）に隣接して、側方水密部材５よりも低い突出寸法の当接部材７が突設されている。当接部材７は、前面、後面、左右の側面を備え、後面が第２面部４１に固定されたベース７０と、ベース７０の前面に設けたズレ止め部材（本実施形態では、ズレ止め緩衝ゴム）７１からなる。ズレ止め部材７１は、縦枠３の第１見付面３０に圧接ないし密着した時に、密着力ないし摩擦力によって、縦枠３の第１見付面３０に対する止水パネルの持ち上がりを防止する。ズレ止め部材７１は典型的には弾性を備えているが、当接部材７のベース７０は非弾性部材であり、止水パネルの取り付け時の押圧力によって圧縮されない。なお、当接部材７は、ベース７０の側面が側方水密部材５の隣接する立ち上がり面に接触することで、側方水密部材５の倒れ防止の役割も有する。当接部材７のベース７０は、例えば、螺子によってパネル本体４の第２面部４１に固定される。
【００２５】
［Ｂ］固定手段を用いた止水パネルの取り付け
止水パネルは、パネル本体４に設けた固定手段８によって、建物開口部の下方部位に室外側から取り付けられる。図７に示すように、固定手段８は、帯状のベルト８０と、ベルト８０の第１端部８００に設けた掛止部８１と、ベルト８０の第２端部８０１に設けた締め具８２と、からなる。本実施形態では、図２に示すように、止水パネルは、各左右端部に上下に離間して合計４つの固定手段８を備えている。なお、固定手段８は、少なくとも左右に１つずつあればよく、その数は４つに限定されない。また、図示の固定手段８は、パネル本体４を建物開口部に取り付ける取付手段の１つの実施例であって、本発明において、前記取付手段は固定手段８に限定されるものではなく、例えば、押し付け具９の押圧力を用いてパネル本体４を建物開口部の縦枠３に圧接させて取り付けるものでもよい。
【００２６】
本実施形態では、固定手段８は、第２面部４１の横長の開口４１０に位置して設けてある。より具体的には、締め具８２の取付ベース８２０は、パネル本体４の幅方向端部から内側に離間した位置で開口４１０を跨ぐように第２面部４１に取り付けられており、第２端部が締め具８２に連結されたベルト８０は、締め具８２から開口４１０に沿ってパネル本体４の幅方向端部に向かって延びている。第２面部４１の幅方向端部に近い部位には、ベルト８０のガイド部（後述するガイドプレート１０のガイド片１００）が設けてある。締め具８２から開口４１０に沿って水平方向にパネル本体４の幅方向端部に向かって延びるベルト８０は、ベルトのガイド部によって折り曲げられて変向して第２面部４１から離間するように室内側に延びるようになっている。
【００２７】
本実施形態では、締め具８２は、いわゆるキャッチクリップであり、第２面部４１に固定された取付ベース８２０と、支軸を介して取付ベース８２０に回動可能に連結された回動操作レバー８２１と、一端が回動操作レバー８２１に連結され、他端がベルト８０の第２端部８０１に連結されたアーム８２２と、アーム８２２に外装したコイルスプリング８２３と、を備えており、回動操作レバー８２１は、第２面部４１に近接対向した第１姿勢と、第２面部４１に対して垂直状の第２姿勢との間で回動可能である。このようなキャッチクリップ自体は公知であるので、さらなる詳細な説明は省略する。回動操作レバー８２１を第２姿勢から第１姿勢とすることで、ベルト８０を引っ張って緊張状態で締め付けるようになっている。
【００２８】
本実施形態では、ガイド部は、当接部材７に隣接して、開口４１０を跨ぐように固定されたガイドプレート１０からなる。図８（Ａ）に示すように、ガイドプレート１０は、第１面と第２面を有する方形状のプレートであり、第１面を室内側に向けて開口４１０を跨ぐように設けられ、締め具８２から離間する側（幅方向外側）の縁部には第２面部４１から離間するようにプレートから湾曲状に立ち上がるガイド片１００が形成されている。プレートには４つの螺子１２の螺子孔（雌螺子）１０１が形成されている。
【００２９】
ガイドプレート１０は取付プレート１１、取付用の螺子１２を用いて、パネル本体４の第２面部４１の幅方向の所定位置に固定される。図８（Ｂ）に示すように、取付プレート１１は、第１面と第２面を有する方形状のプレートである。プレートには４つの螺子１２の挿通孔１１０が形成されている。ガイドプレート１０と取付プレート１１を対向させた時には、取付プレート１１の螺子孔１０１と取付プレート１１の挿通孔１１０が一致するようになっている。
【００３０】
ガイドプレート１０の高さ寸法は、開口４１０の縦幅寸法よりも大きく、上側の中間壁４６の下面と下側の中間壁４７の上面間の高さ寸法と略同じである。ガイドプレート１０は、開口４１０を跨ぐようにして、ガイドプレート１０の第１面の上側部位（上側の螺子孔１０１より上側の部位）、下側部位（下側の螺子孔１０１より下側の部位）を、上側垂直片４１１、下側垂直片４１２の後面（パネル本体４の第２面部４１から遠い側の面）４１１１、４１２１に当接させて仮配置される。この時、ガイドプレート１０は下側の中間壁４７に載置した状態で仮配置されている。
【００３１】
取付プレート１１の高さ寸法は、開口４１０の縦幅寸法よりも大きく、上側の中間壁４６の下面と下側の中間壁４７の上面間の高さ寸法と略同じである。また、取付プレート１１の厚さは、第２面部４１と上側垂直片４１１、下側垂直片４１２との段差に対応している。取付プレート１１は、第１面を室内側に向けて開口４１０を跨ぐようにして、取付プレート１１の第２面の上側部位（上側の挿通孔１１０よりも上側の部位）、下側部位（下側の挿通孔１１０よりも下側の部位）を、上側垂直片４１１、下側垂直片４１２の前面（パネル本体４の第２面部４１に近い側の面）前面４１１０、４１２０に当接させて仮配置される。この時、ガイドプレート１０は下側の中間壁４７に載置した状態で仮配置されている。取付プレート１１の第１面とパネル本体４の第２面部４１とは面一となっている。
【００３２】
ガイドプレート１０及び取付プレート１１の仮配置状態において、ガイドプレート１０の上側の２つの螺子孔１０１と取付プレート１１の上側の２つの挿通孔１１０は、上側垂直片４１１の下方、すなわち、開口４１０に位置して対向一致しており、ガイドプレート１０の下側の２つの螺子孔１０１と取付プレート１１の下側の２つの挿通孔１１０は、下側垂直片４１２の上方、すなわち、開口４１０に位置して対向一致している。
【００３３】
４本の螺子１２を取付プレート１１の挿通孔１１０からガイドプレート１０の螺子孔１０１に締め込むことで、ガイドプレート１０の上側部位と取付プレート１１の上側部位で上側垂直片４１１を前後から挟持し、ガイドプレート１０の下側部位と取付プレート１１の下側部位で下側垂直片４１２を前後から挟持し、螺子１２を締めることで、ガイドプレート１０がパネル本体４の第２面部４１の幅方向の所定位置に固定される。
【００３４】
第２面部４１の幅方向の所定位置にガイドプレート１０が固定された状態において、第２面部４１の幅方向において、ガイド部（ガイドプレート１０のガイド片１００）の位置を変更したい場合には、螺子１２を緩めることで、ガイドプレート１０、取付プレート１１を上側垂直片４１１、下側垂直片４１２に沿って第２面部４１の幅方向に移動させることができ、所望の位置にガイドプレート１０、取付プレート１１を移動させた状態で螺子１２を締めることで、ガイドプレート１０を固定することができる。
【００３５】
ベルト８０は、締め具８２からパネル本体４の幅方向端部に向かって、横長の開口４１０に沿ってパネル本体４の幅方向に延び（第１部分８０Ａ）、ガイドプレート１０の裏側を通って、ガイド片１００に掛け回され、ガイド片１００によって、パネル本体４の第２面部４１から離れる方向に引き出されて延びる（第２部分８０Ｂ）。なお、ベルト８０の長さは現場において調整可能となっている。
【００３６】
ベルト８０の第１端部８００に連結された掛止部８１は、基端がベルト８０の第１端部８００に連結された第１片８１０と、第１片８１０の延びる方向に対して垂直状に延びる第２片８１１と、を備え、略Ｌ形状に形成されており、いわば引掛金具を構成している。第１片８１０、第２片８１１は共に所定幅を備えた板状体であり、第２片８１１の内面には、滑り止め要素（本実施形態では、滑り止めゴム）８１２が設けてある。図示の態様では、第１片８１０の傾斜状の先端部と第２片８１１の基端部からＶ形状の突出部Ｖが突成されており、掛止部８１の角部の内側には空間Ｓが形成されている。より具体的には、第２片８１１は、第１片８１０を通る面に対して第１側（掛止部８１が縦枠３に掛止した時に、縦枠３の第２見込面３３側）に延びており、第１片８１０の先端部は、前記面に対して第２側（掛止部８１が縦枠３に掛止した時に、縦枠３の第１見込面３２から離間する開口部側）に傾斜しており、第２片８１１の基端部は、前記面を越えて第２側に延びており、第１片８１０の先端部と第２片８１１の基端部が接続されている。
【００３７】
図９に示すように、止水パネルが取り付けられた状態において、掛止部８１の第２片８１１が滑り止め要素８１２を介して縦枠３の第２見付面３１に当接しており、縦枠３の第２見付面３１と第１見込面３２で形成される角部は空間Ｓに対向している。出願人が鋭意研究したところ、掛止部８１の角部の内側には空間Ｓを形成する形状の掛止部８１を採用することで、掛止部８１が縦枠３からより外れ難いことがわかった。また、角が出ているような縦枠（方立て）に対しても、空間Ｓによって掛止部８１と角との干渉を防止して良好に掛止することができる。なお、空間Ｓを備えた図示の掛止部８１は掛止部の例示態様であって、空間Ｓを備えないＬ形状の掛止部であってもよく、あるいは、第１片８１０と第２片８１１の角度を９０度よりも僅かに鋭角にして、第１片８１０が第１見込面３２に対してより密着するようにしてもよい。
【００３８】
本実施形態に係る止水パネルの取付について説明する。止水パネルのパネル本体４は、建物開口部の開口幅寸法よりもやや大きい幅寸法を備えており、建物開口部の室外側に位置して、左右の縦枠３間に当該縦枠３を跨ぐように左右の縦枠３間に取り付けられる。止水パネルは、下面４３の下方水密部材６を床面ＦＬに圧接した状態で、第２面部４１の幅方向両端部に設けた側方水密部材５を、建物開口部左右の縦枠３の第１見付面３０に当接させ（この状態では、当接部材７と第１見付面３０は離間している）、固定手段８の掛止部８１の第１片８１０を縦枠３の第１見込面３２に当接ないし近接させると共に、第２片８１１を縦枠３の第２見付面３１に当接させることで、当該掛止部８１を縦枠３の室内側の角部に掛止させた状態とし（締め具８２による固定を確実に行うために、必要に応じてベルト８０の長さを調整する）、その状態から、締め具８２の回動操作レバー８２１を回動して、ベルト８０を引っ張って緊張状態に締め付けて固定する。
【００３９】
掛止部８１が縦枠３の室内側の角部（第２見付面３１と第１見込面３２）に掛止した状態で、ベルト８０を引っ張ることで、縦枠３に対してパネル本体４が押圧され、側方水密部材５は縦枠３の第１見付面３０に圧接され、側方水密部材５が圧縮されることで、第２面部４１に側方水密部材５に隣接して設けた当接部材７のズレ止め部材７１が縦枠３の第１見付面３０に圧接される（図９参照）。
【００４０】
止水パネルを取り付けた状態において、ベルト８０は、ガイド部（ガイドプレート１０のガイド片１００）によって折り曲げられた状態（第２面部４１に沿って幅方向に延びる第１部分８０Ａと第２面部４１から離間するように室内側へ向かって延びる第２部分８０Ｂ）で緊張状態にあり、掛止部８１の第１片８１０は、第２部分８０Ｂと略直線状にある。
【００４１】
図９に示すように、止水パネルが取り付けられた状態において、ベルト８０の第２部分８０Ｂ（第２面部４１から離間するように室内側へ向かって延びる）と掛止部８１の第１片８１０は直線状にあり、かつ、縦枠３の第１見込面３２に沿って延びている。より安定した掛止状態を得るためには、このように、第２部分８０Ｂと第１片８１０が縦枠３の第１見込面３２に沿って延びることが望ましいが、そのためには、ガイドプレート１０のガイド片１００と縦枠３の第１見込面３２との位置関係が重要である。
【００４２】
実際の現場では寸法誤差もあり、掛止部８１は左右両側に存在することから、そのためには、ガイドプレート１０のガイド片１００と縦枠３の第１見込面３２との位置関係が設計通りではない場合もある。例えば、図１０に示す態様では、ガイドプレート１０のガイド片１００の位置が、掛止部８１が掛止する縦枠３の室内側角部よりも所定量内側に位置しており、ベルト８０の第２部分８０Ｂは平面視において傾斜状に延びている。掛止部８１の第２片８１１と縦枠３の第２見付面３１が十分に密着していないことから、この掛止状態は不安定であり、場合によっては、掛止部８１と縦枠３との掛止状態が外れてしまうおそれがある。
【００４３】
この場合、ベルト８０の第２部分８０Ｂ及び掛止部８１の第１片８１０を、縦枠３の第１見込面３２に沿って延びるように配置するためには、縦枠３の第１見込面３２を延長した仮想面とパネル本体４の第２面部４１が交わる位置にベルト８０の第２部分８０Ｂの基端８００Ｂを位置させる必要がある。また、図示の例では、止水パネルの取付状態において、パネル本体４の第２面部４１と縦枠３の第１見込面３２は垂直状に延びているが、実際の現場では、図１０のように、縦枠３の第１見込面３２が第２面部４１に対して僅かに斜めに延びることも起こり得る。この場合も、ベルト８０の第２部分８０Ｂ及び掛止部８１の第１片８１０を、縦枠３の第１見込面３２に沿って延びるように配置するためには、縦枠３の第１見込面３２を延長した仮想面とパネル本体４の第２面部４１が交わる位置にベルト８０の第２部分８０Ｂの基端８００Ｂを位置させる必要がある。なお、ベルト８０の第２部分８０Ｂの基端８００Ｂが縦枠３の第１見込面３２よりも幅方向外側（当接部材７側）に寄っていてもよい（この場合は、掛止部８１と縦枠３との掛止状態が維持される）。
【００４４】
本実施形態では、ガイドプレート１０のガイド片１００の位置を、パネル本体４の幅方向において調節可能とすることで、固定手段８のベルト８０の第２部分８０Ｂの基端８００Ｂの位置を、パネル本体４の幅方向に調整可能となっており、現場における位置調整を可能としている。図１０に示す態様において、現場において、螺子１２を緩めて、ガイドプレート１０と取付プレート１１による上側垂直片４１１、下側垂直片４１２の挟持状態を解除し、ガイドプレート１０、取付プレート１１、螺子１２をセットで矢印方向に所定位置まで移動させ、螺子１２を締めることによって、ガイドプレート１０のガイド片１００の位置をパネル本体４の幅方向の端部側に位置調整し、図９に示す態様を得ることができる。このように、固定手段８のベルト８０の第２部分８０Ｂの基端８００Ｂの位置を、パネル本体４の幅方向に調整可能とすることで、ベルト８０の第２部分８０Ｂの第１部分８０Ａに対する引き出し方向（第１部分８０Ａないし第２面部４１に対する第２部分８０Ｂの角度）が調整可能となっている。
【００４５】
［Ｃ］パネルの下方押し込み手段
下方水密部材６を床面ＦＬに押し付けるためのパネルの下方押し込み手段について説明する。下方押し込み手段は、押し付け具（押し付け金具）９と、ベース（台座金具）１３とを備え、押し付け具９は、ベース１３を介してパネル本体４の上面４２を下方に押し込むようになっている。ベース１３はパネル本体４の上面４２上に幅方向に移動可能に載置されており、押し付け具９は、収納姿勢と押圧姿勢との間で姿勢（向き）が変更可能なように、ベース１３に対して可動連結されている。
【００４６】
［Ｃ−１］押し付け具（押し付け金具）
図１３を参照しつつ、押し付け具９の構成について説明する。押し付け具９は、止水パネルの下方押し込み時に縦枠３を掴むように当該縦枠３に装着される掴持部９０と、掴持部９０を支持する支持部９１と、支持部９１に設けられ、パネルの下方押し込み時にパネル本体４に下向きの力を作用させる押圧部９２と、を備えている。
【００４７】
掴持部９０は、対向状の第１辺９００、第２辺９０１と、第１辺９００と第２辺９０１を連結する第３辺９０２とから断面視コ字形状に形成され、所定高さを備えている。図示の態様では、第１辺９００と第２辺９０１の幅寸法（第３辺９０２からの突出寸法）は同じであるが、第１辺９００と第２辺９０１は、異なる幅寸法を備えていてもよい。本実施形態では、第１辺９００と第２辺９０１の幅寸法はパネル本体４の厚さ寸法と略同じである。図１８（Ａ）に示すように、収納姿勢（第１辺９００、第２辺９０１がパネル本体４の厚さ方向に延びる）において、パネル本体４の直上に位置して、掴持部９０の第１辺９００と第２辺９０１がパネル本体４の厚さ方向（見込方向）に延び、第３辺９０２がパネル本体４の幅方向（見付方向）に延びており、掴持部９０がパネル本体４の第１面部４０、第２面部４１から実質的に突出することがないようにしている。本明細書において、「実質的に突出することがない」とは、止水パネルの保管時に複数枚のパネルを重ねて収納することに支障が無い程度の突出は含む趣旨であり、図１８（Ａ）の態様を含む。押圧姿勢では、図２０（Ａ）に示すように、掴持部９０の第１辺９００と第２辺９０１がパネル本体４の第２面部４１に平行状に延び、第３辺９０２がパネル本体４の第２面部４１に対して垂直状に延びており、掴持部９０がパネル本体４の第２面部４１から突出して、縦枠３を掴持可能となっている。
【００４８】
掴持部９０の第１辺９００の下端部位には、第２辺９０１の下端９０１１、第３辺９０２の下端９０２１を越えて下方に延びる下側延長部９００１が形成されており、第２要素９０１の上端部位には、第１辺９００の上端９０００、第３辺９０２の上端９０２０を越えて上方に延びる上側延長部９０１０が形成されている。なお、本実施形態では、第１辺９００に下側延長部９００１、第２辺９０１に上側延長部９０１０をそれぞれ形成したが、これには限定されず、例えば、第１辺９００、第２辺９０１、第３辺９０２を同一高さ寸法とし、第１辺９００、第２辺９０１、第３辺９０２の上端、下端がそれぞれ同一高さにあって一致するようにしてもよい。
【００４９】
図２０（Ａ）に示すように、掴持部９０が縦枠３を掴持した時には、第１辺９００が縦枠３の第２見付面３１に当接し、第２辺９０１が縦枠３の第１見付面３０に当接し、第３辺９０２が縦枠３の第１見込面３２に近接ないし当接する。第１辺９００の内面、第２辺９０１の内面には、第１辺９００及び第２辺９０１を形成する部材（スチール等の金属）よりも柔軟な材質からなり、ズレ止め機能及び縦枠３の保護機能を備えた当接シート９０３、９０４がそれぞれ設けてある。当接シート９０３は第１辺９００の下側延長部９００１の内面にも設けてあり、当接シート９０４は第２辺９０１の上側延長部９０１０の内面にも設けてある。１つの態様では、当接シートはウレタンシート等のゴムである。
【００５０】
第１辺９００の下側延長部９００１は、第２辺９０１から離間するように下側に向かって外側に緩やかに傾斜しており、下側延長部９００１の内面（当接シート９０３）は傾斜面となっている。第２辺９０１の上側延長部９０１０は、第１辺９００から離間するように上側に向かって外側に緩やかに傾斜しており、上側延長部９０１０の内面（当接シート９０４）は傾斜面となっている。なお、図示の態様では、当接シート９０３、９０４は、第１辺９００、第２辺９０１の全面に亘って設けてあるが、縦枠３と当接する部分（第１辺９００の下側延長部９００１、第２辺９０１の上側延長部９０１０）を含む部分面にのみ当接シート９０３、９０４を設けてもよい。なお、第３辺９０２の内面に当接シートを設けてもよい。
【００５１】
支持部９１は、側面視三角形ないし台形状で断面視略コ字状の形状を有している。支持部９１は、基端が掴持部９０の第２辺９０１に固定（例えば、溶接）ないし一体形成されており、先端に向かって下向き傾斜状の上壁９１０と対向状の第１側壁９１１、第２側壁９１２とからなる。図示の態様では、第１側壁９１１、第２側壁９１２は垂直壁である。第１側壁９１１の下端の一部は、第２側壁９１２の水平状の下端よりも下方に突出する突縁９１１１となっている。図示の態様では、第１側壁９１１の下端（突縁９１１１を除く）、第２側壁９１２の下端は、第２辺９０１、第３辺９０２の下端と一致しており（この態様に限定されるものではなく、一致していなくてもよい）、突縁９１１１の水平状の下端は、第２側壁９１２の下端よりも下方に位置している。
【００５２】
支持部９１の上壁９１０の幅寸法（第１側壁９１１と第２側壁９１２間の寸法）は、掴持部９０の第１辺９００、第２辺９０１の幅寸法（パネル本体４の厚さ寸法）と略一致している。第２側壁９１２の下端には、掴持部９０に隣接して舌状の連結片９１３が第１側壁９１１から離間する方向に水平に突成されている。連結片９１３は、掴持部９０の外側（第３辺９０２に対して第２辺９０１とは反対側）に延出している。連結片９１３にはルーズ孔として例示する長孔９１４が形成されている。長孔９１４は、平面視において、掴持部９０から遠い側の第１端部９１４０が第２側壁９１２に近く、掴持部９０に近い側の第２端部９１４１が第２側壁９１２から遠くなるように傾斜状に形成されている。
【００５３】
押圧部９２は、円板状のハンドル９２０と、少なくとも下方の先端側に雄螺子が形成された軸部９２１と、支持部９１の傾斜状の上壁９１０の下面に固定されたナット９２２と、からなり、軸部９２１の雄螺子をナット９２２の雌螺子に螺合させることで、傾斜姿勢で支持部９１に取り付けられている。押圧部９２のハンドル９２０を第１の方向に回転させると、支持部９１に対して、軸部９２１は傾斜姿勢（軸部９２１の下端が掴持部９０に近づく方向に傾斜）で斜め下方に移動し、ハンドル９２０を第２の方向に回転させると、支持部９１に対して斜め上方に移動する。押圧部９２の軸部９２１は、先端（ハンドル９２０から遠い側）が掴持部９０に近づくような傾斜姿勢となっている。押し付け具９は、パネル本体４の上面４２に斜め（第１面部４０から第２面部４１に向かう）下方の力を作用させるため、下方水密部材６の床面ＦＬへの押し付けに加えて、側方水密部材５の縦枠３の第１見付面３０への押し付けの効果もある。なお、押し付け具によって下向きのみを力をパネル本体４に作用させる場合には、押圧部９２の軸部は垂直姿勢であってもよい。
【００５４】
［Ｃ−２］ベース（台座金具）
本実施形態では、押し付け具９は、ベース１３を介してパネル本体４の上面４２を押し込むようになっている。ベース１３は、パネル本体４の上面４２に幅方向に移動可能に載置される。押し付け具９は、ベース１３に対して可動に連結されており、収納姿勢と押圧姿勢をとることができる。
【００５５】
先ず、ベース１３が幅方向に移動可能に設けられるパネル本体４の上端の構成について説明する。パネル本体４の上面４２には、第１面部４０側の第１立ち上がり辺４２０と、第２面部４１側の第２立ち上がり辺４２１が対向状に形成されている（図１６参照）。パネル本体４の上端には、水平状の上面４２と、第１立ち上がり辺４２０と、第２立ち上がり辺４２１とから溝部が形成されており、押し付け具９は、当該溝部をガイド溝としてパネル本体４の幅方向にスライド可能となっている。より具体的には、第１立ち上がり辺４２０は、上面４２の第１面部４０側の端部から立ち上がる下側垂直部４２００と、第２立ち上がり辺４２１側に上向き傾斜する傾斜部４２０１と、上側垂直部４２０２と、上側水平部４２０３と、から形成されており、第２立ち上がり辺４２１は、上面４２の第２面部４１側の端部から立ち上がる垂直部４２１０と、垂直部４２１０の上端から第１立ち上がり辺４２０に向かって水平に延びる上側水平部４２１１と、から形成されている。図示の態様では、上側水平部４２０３の高さは、上側水平部４２１１の高さよりも少し高いが、これには限定されない。
【００５６】
図１４を参照しつつ、ベース１３の構成について説明する。ベース１３は、パネル押し込み時に押し付け具９の押圧部９２の軸部９２１の下端が当接し、ハンドル９２０の回転操作に伴い斜め下方に移動する軸部９２１によって押圧される被押圧部１３０と、押し付け具９が移動可能に連結される連結部１３１と、収納姿勢にある押し付け具９が仮固定される仮固定部１３２と、パネル本体４の上端の溝部内を摺動するスライド部１３３（本実施形態では２つのスライド部１３３を備えているが、これには限定されない）と、ベース１３を溝内でスライドさせて位置調整するための操作部１３４と、を備えている。
【００５７】
ベース１３は全体として長尺部材であり、一端側に被押圧部１３０が形成され、第１のスライド部１３３を挟んで被押圧部１３０に連結部１３１が隣接しており、連結部１３１に隣接して仮固定部１３２が設けてあり、仮固定部１３２に隣接して操作部１３４が設けてあり、他端側に第２のスライド部１３３が位置している。ベース１３は、一端側をパネル本体４の端部に近い側、他端側をパネル本体４の端部から遠い側に位置させて、パネル本体４の上端の溝部内に設けられる。
【００５８】
被押圧部１３０は、側面視直角三角形状の長辺の第１傾斜片１３００、短辺の第２傾斜片１３０１と、からなり、第１傾斜片１３００の先端、第２傾斜片１３０１の先端がパネル本体４の上面４２に当接している。図１６に示すように、ベース１３がパネル本体４の上端の溝部に設けられた状態において、第１傾斜片１３００は、先端側が第１立ち上がり辺４２０の下端（下側垂直部４２００）に位置し、基端側が第２立ち上がり辺４２１の上端（上側水平部４２１１）に位置しており、パネル本体４の第１面部４０から第２面部４１へ向かって（パネル本体４の見込方向に）上向き傾斜状に延びており、この傾斜面が被押圧面となっている。
【００５９】
図１４に示すように、連結部１３１は、水平状の面部１３１０と、面部１３１０に形成された螺子孔１３１１と、を備えている。面部１３１０は、パネル本体４の第２面部４１側に向かって（ベース１３の長さ方向に直交する方向に）延出しており、パネル本体４の第２面部４１を越えて延びる延出部位１３１０´を備えている。延出部位１３１０´に螺子孔１３１１が形成されている。図１５に示すように、ベース１３がパネル本体の上端の溝部に設けられた状態において、連結部１３１の面部１３１０は、パネル本体４の第１立ち上がり辺４２０（上側水平部４２０３）及び第２立ち上がり辺４２１（上側水平部４２１１）の上方に位置して水平状に延びている。
【００６０】
仮固定部１３２は、連結部１３１から下向きに傾斜する傾斜面部１３２０を備えており、傾斜面部１３２０には螺子孔１３２１が形成されている。押し付け具９が収納姿勢にある時には、軸部９２１の延長線上に螺子孔１３２１が位置するようになっている。本実施形態では、仮固定部１３２の傾斜面部１３２０と被押圧部１３０の第１傾斜片１３００の傾斜角度は同じであり、押し付け具９の押圧部９２の傾斜状の軸部９２１に対して直角方向となっている。
【００６１】
図１４に示すように、本実施形態では、ベース１３は、離間対向する垂直壁状の２つのスライド部１３３を備えている。図１５（Ｂ）に示すように、ベース１３がパネル本体の上端の溝部に設けられた状態において、スライド部１３３の下端がパネル本体４の上面４２に載置するようになっている。図１６に示すように、スライド部１３３は、パネル本体４の上端の溝部の断面形状に沿った形状を有しており、スライド部１３３の上端側は、上側水平部４２０３と上側水平部４２１１の間の開口を通って上方に延びており、連結部１３１及び操作部１３４は、上側水平部４２０３及び水平部４２１１の上方に位置している。
【００６２】
操作部１３４は、ベース１３の長さ方向に直交する方向に水平状に延びており、連結部１３１の延出部位１３１０´と同じ側に延びる第１部分１３４０と、反対側に延びる第２部分１３４１を備えており、図示の態様では、第１部分１３４０が長片、第２部分１３４１が短片となっている。操作部１３４は、連結部１３１と同じ高さで水平状に延びており、ベース１３がパネル本体の上端の溝部に設けられた状態において、第１部分１３４０、第２部分１３４１は、パネル本体４の上側水平部４２０３及び水平部４２１１の上方に位置している。第１部分１３４０ないし第２部分１３４１に指を掛けることでベース１３を適切な位置にスライド移動させることができ、ベース１３の位置調整の際の操作性が良い。
【００６３】
図１５、図１６に示すように、ベース１３は、パネル本体４の上端に形成した溝部内にパネル本体４の幅方向にスライド可能に嵌め込まれる。ベース１３をパネル本体４の幅方向に移動可能とすることによって、止水パネルの設置時において、ベース１３に連結された押し付け具９の位置調整を容易に行うことができ、また、押し付け具９を収納姿勢と押圧姿勢の間で向きを変える時に、必要に応じてベース１３をスライド移動させることもできる。ベース１３が溝部内に設けられた状態において、スライド部１３３の上方への移動が、第１立ち上がり辺４２０（傾斜部４２０１）と第２立ち上がり辺４２１（上側水平部４２１１）によって規制されるため、溝部内のベース１３が上方へ抜けてパネル本体４から脱落することが防止される。また、塞ぎプレート４４の上端は、溝部の幅方向端部を塞ぐようにパネル本体４の上面４２よりも上方に延びているので、ベース１３がパネル本体４の幅方向端部から抜け出ることが防止される。したがって、止水パネルの運搬時や収納時に、ベース１３（及びベース１３に連結された押し付け具９）を止水パネルと一体で運搬、収納することができ、また、ベース１３（及びベース１３に連結された押し付け具９）がパネル本体４から離脱して紛失するような事態を未然に防止することができる。
【００６４】
［Ｃ−３］押し付け具とベースの連結構造
本実施形態では、押し付け具９は、押し付け具９の連結片９１３をベース１３の連結部１３１の面部１３１０の上方に位置させ、連結片９１３の長孔９１４と連結部１３１の螺子孔１３１１を一致させて、長孔９１４と螺子孔１３１１を通る螺子１４を用いて連結されている（図１８、図２０参照）。螺子１４の軸部１４０は垂直状に延び、押し付け具９の長孔９１４を挿通し、先端側の雄螺子がベース１３の螺子孔１３１１に螺合している。螺子１４の軸部１４０の下端部位にはナット１４１が装着されている。
【００６５】
螺子１４の軸部１４０は、クリアランスを有して長孔９１４を挿通しており、軸部１４０を中心としてベース１３に対して押し付け具９が回転可能であり、かつ、軸部１４０は長孔９１４内を長さ方向に（第１端部９１４０と第２端部９１４１の間）移動可能であることから、押し付け具９は軸部１４０に対して長孔９１４の長さ方向に移動可能となっている。押し付け具９の連結片９１３は、螺子１４の軸部１４０に対して軸方向に移動可能であり、したがって、連結片９１３に対して螺子１４（及び螺子１４と螺合されたベース１３）は軸方向に移動可能である。螺子１４の軸部１４０はベース１３の連結部１３１の螺子孔１３１１に螺合しており、螺子１４とベース１３は一体で上下動するようになっている。
【００６６】
図２４（Ｂ）、図２５（Ｂ）に示すように、押圧前の状態では、押し付け具９の連結片９１３がベース１３の連結部１３１の面部１３１０（図２４（Ｂ）、図２５（Ｂ）では、実際には同じ高さ位置にある操作部１３４の第１部分１３４０に隠れているが、説明の便宜上、参照番号“１３１０”を示す）上に載置した状態であり、図２４（Ａ）、図２５（Ａ）に示すように、押圧後の状態では、押し付け具９の連結片９１３に対して、ベース１３の連結部１３１の面部１３１０が下方に離間した状態となる。連結片９１３に対する連結部１３１の下方への移動量が押し込み量となる。図２４（Ｂ）、図２５（Ｂ）に示すように、押圧前の状態では、螺子１４の頭部が押し付け具９の連結片９１３の上方に離間しており、図２４（Ａ）、図２５（Ａ）に示すように、押圧後の状態では、螺子１４の頭部が押し付け具９の連結片９１３の上面に当接している。したがって、押圧前の状態において、軸部１４０の連結片９１３と頭部との間の部分１４０´（図２５（Ｂ）参照）の高さ寸法によってパネルの押し込み量が決定される。ベース１３の連結部１３１の面部１３１０（延出部位１３１０´）に対する螺子１４の軸部１４０の位置を調整することで適切な押し込み量を設定することができる。
【００６７】
押し付け具９を軸部１４０を介してベース１３に対して可動に連結するためには、押し付け具９側の孔はいわゆるルーズ孔（当該ルーズ孔に対する軸部の移動を許容するクリアランスを有している）であればよく、長孔に限定されず、丸孔でもよい。本実施形態では連結のための軸部として螺子１４を用いたが、軸部が押し付け具９側の孔及びベース１３側の孔を共に挿通するようにしてもよい。例えば、軸部に対するベース１３の位置を固定せずに、パネルの押し込み時に、軸部がベース１３の連結部１３１に形成した挿通孔（図示せず）を下動するようにしてもよい（この場合、押し込み量の設定が必要な場合には、上記手法とは異なる手法で行う）。
【００６８】
［Ｃ−４］押し付け具の収納姿勢と押圧姿勢
押し付け具９は、パネル本体４の上端に設けられたベース１３に可動に連結されており、収納姿勢と押圧姿勢の間で姿勢（向き）が変更可能となっている。止水パネルの保管時、運搬時には、押し付け具９を収納姿勢とし、止水パネルの下方押し込み時には、押し付け具９を押圧姿勢とする。
【００６９】
図１７、図１８に、収納姿勢（第１の姿勢ないし向き）にある押し付け具９を示す。図１８（Ａ）に示すように、収納姿勢において、押し付け具９の掴持部９０は、第１辺９００、第２辺９０１がパネル本体４の厚さ方向に延び、第３辺９０２がパネル本体４の幅方向に延びた姿勢となり、パネル本体４の幅方向端部の直上に位置している。第１辺９００がパネル本体４の幅方向端部に位置し、第２辺９０１がパネル本体４の幅方向端部から遠い側に位置する。図１８（Ｂ）に示すように、第１辺９００の下側延長部９００１を塞ぎプレート４４の上端部位に外側から当接させることで収納姿勢の位置決めが可能である。螺子１４の軸部１４０は、押し付け具９の連結片９１３の長孔９１４の第１端部９１４０に位置している。
【００７０】
収納姿勢では、支持部９１はベース１３の連結部１３１、仮固定部１３２の直上に位置しており、押し付け具９の収納姿勢の位置決め時に、支持部９１に設けた押圧部９２の軸部９２１の延長線上に仮固定部１３２の螺子孔１３２１が位置するようになっており、ハンドル９２０を回して軸部９２１を斜め下方に移動させることで、軸部９２１の先端側の雄螺子が螺子孔１３２１に螺合して仮固定される。収納姿勢において、押し付け具９は、パネル本体４の直上に位置して、概ね、パネル本体４の厚さ内に納まっており、複数枚の止水パネルを重ねて保管する場合も省スペースで済む。押し付け具９はパネル本体１４に設けたベース１３に仮固定されているので、押し付け具９を止水パネルと一体で持ち運ぶことができ運搬が容易である。また、押し付け具９は、パネル本体４に設けたベース１３に連結されているので、止水パネルと一体で保管することができ、止水パネルと異なる場所に保管してしまうおそれや、紛失のおそれがない。
【００７１】
収納姿勢にある押し付け具９において、ハンドル９２０を回して軸部９２１の下端側の雄螺子と螺子孔１３２１の螺合を解除することで、螺子１４の軸部１４０を中心として、ベース１３に対して押し付け具９が可動（軸部１４０を中心とする回動、長孔９１４の長さ方向のスライド移動、軸部１４０の軸方向の移動）となる。このようにして、収納姿勢にある押し付け具９の向きを変えて押圧姿勢とすることができる。
【００７２】
図１９〜図２２に、押圧姿勢（第２の姿勢ないし向き）にある押し付け具９を示す。押圧姿勢において、押し付け具９の掴持部９０は、パネル本体４の第２面部４１より室内側に位置しており、第１辺９００、第２辺９０１がパネル本体４の第２面部４１に平行して延び、第３辺９０２はパネル本体４の第２面部４１から離間する方向に延びた姿勢となる。押圧姿勢において、支持部９１の第２側壁９１２の下端の連結片９１３がベース１３の連結部１３１上に載置しており、第１側壁９１１の下端の突縁９１１１がパネル本体４の上端（上側水平部４２０３、上側水平部４２１１）に載置する。こうすることで、押圧時にパネル本体４の上端に対する押圧部９の水平姿勢が保たれる。押圧姿勢において、押圧部９２の軸部９２１の下端が第１傾斜片１３００に当接可能となっており、押圧部９２のハンドル９２０を第１の方向に回すことで、軸部９２１の下端が第１傾斜片１３００を下方に押圧する。本実施形態では、押圧姿勢では、螺子１４の軸部１４０は、押し付け具９の連結片９１３の長孔９１４の第２端部９１４１に位置している。図１８（Ｂ）と図２０（Ｂ）を比べるとわかるように、ベース１３の位置は、押し付け具９が収納姿勢の場合に比べて、押圧姿勢の場合の方がパネル本体４の幅方向端部側に寄っている。このように、図示の態様では、収納姿勢と押圧姿勢では、長孔９１４における軸部１４０の位置が移動しており、かつ、パネル本体４の幅方向に対するベース１３の位置も変わっているが、これには限定されない。
【００７３】
掴持部９０の第１辺９００、第２辺９０１、第３辺９０２を、縦枠３の第２見付面３１、第１見付面３０、第１見込面３２にそれぞれ近接対向させた状態において、掴持部９０の第１辺９００と縦枠３の第２見付面３１の間の遊び（クリアランス）、掴持部９０の第２辺９０１と縦枠３の第１見付面３０の間の遊び（クリアランス）が存在しており、押し込み時に、掴持部９０は僅かに傾動可能である（図２４（Ａ）、図２５（Ａ））。図２４（Ｂ）、図２５（Ｂ）の状態において、第１辺９００の下側延長部９００１は縦枠３の第２見付面（垂直面）３１から離間するように下側に向かって外側に緩やかに傾斜しており、第２辺９０１の上側延長部９０１０の内面は縦枠３の第１見付面（垂直面）３０から離間するように上側に向かって外側に緩やかに傾斜している。図２４（Ｂ）、図２５（Ｂ）の状態において、掴持部９０及び支持部９１が傾くことで、第１辺９００の下側延長部９００１（当接シート９０３）が縦枠３の第２見付面３１に当接し、第２辺９０１の上側延長部９０１０（当接シート９０４）が縦枠３の第１見付面３０に当接する。この時、第１辺９００の下側延長部９００１の内面（傾斜面）がほぼ垂直姿勢となって、縦枠３の第２見付面（垂直面）３１に面接触し、第２辺９０１の上側延長部９０１０の内面（傾斜面）がほぼ垂直姿勢となって、縦枠３の第１見付面（垂直面）３０に面接触する（図２４（Ａ）、図２５（Ａ））。
【００７４】
第１辺９００の下側延長部９００１が縦枠３の第２見付面３１に面接触し、第２辺９０１の上側延長部９０１０が縦枠３の第１見付面３０に面接触した初期の傾動姿勢から、押圧部９２のハンドル９２０を回転させることで、軸部９２１が斜め下方に移動し、ベース１３の被押圧部１３０の第１傾斜片１３００を下方に押圧し、パネル本体４の上面４２を押圧して、パネル本体４を斜め下方へ押し付ける。図２４（Ｂ）、図２５（Ｂ）に示すように、押圧前の状態では、押し付け具９の連結片９１３がベース１３の連結部１３１の面部１３１０上に載置した状態であり、螺子１４の頭部が押し付け具９の連結片９１３の上方に離間している。この状態から、軸部９２１の下端がベース１３の被押圧部１３０の第１傾斜片１３００を下方に押し込むと、ベース１３と螺子１４とパネル本体４が一体で下方に移動し、連結片９１３に対してベース１３の連結部１３１の面部１３１０が下方に離間するように下動し、螺子１４が長孔９１４を通って下動し、螺子１４の頭部が連結片９１３の上面に当接することで押し込み完了となる。押圧後の状態では、図２４（Ａ）、図２５（Ａ）に示すように、押し付け具９の連結片９１３に対して、ベース１３の連結部１３１の面部１３１０が下方に離間した状態となり、螺子１４の頭部が押し付け具９の連結片９１３の上面に当接する。
【００７５】
押し付け具９による押圧時に、パネル本体４から反力によって、支持部９１の先端側を持ち上げようとする力を作用させながらパネル本体４を斜め下方に押し付けるが、支持部９１の先端側を持ち上げようとする力は、掴持部９０を傾動させて、掴持部９０と縦枠３との当接部分（第１辺９００の下側延長部９００１と縦枠３の第２見付面３１との当接、第２辺９０１の上側延長部９０１０と縦枠３の第１見付面３０との当接）をさらに押し付ける力として作用し、掴持部９０と縦枠３の当接部分に摩擦が発生し、掴持部９０（第１辺９００、第２辺９０１）が縦枠３を掴持した状態となって、軸部９２１が斜め下方に移動する力がより確実にパネル本体４に作用してパネル本体４を斜め下方に押し付ける。
【００７６】
本実施形態では、押し付け具９を用いた下方への押し込み操作時に、第１辺９００の下側延長部９００１の内面（当接シート９０３）が縦枠３の第２見付面３１に面接触し、第２辺９０１の上側延長部９０１０の内面（当接シート９０４）が縦枠３の第１見付面３０に面接触しているので、内面に貼り付けられた滑り難い当接シート９０３、９０４と相俟って、より大きな下方への押し付け力でパネル本体４を下方に押圧することができ、より安定した防水性能を得ることができる。
【符号の説明】
【００７７】
３  縦枠
３０  第１見付面（室外側見付面）
３１  第２見付面（室内側見付面）
３２  第１見込面
４  パネル本体
４０  第１面部
４１  第２面部
４２  上面
４３  下面
４４  塞ぎプレート
５  側方水密部材
６  下方水密部材
８  固定手段
９  押し付け具
９０  掴持部（係止部）
９００  第１辺
９００１  下側延長部（下端部位）
９０１  第２辺
９０１０  上側延長部（上端部位）
９０２  第３辺
９２  押圧部
９１３  連結片
９１４  長孔（挿通孔）
９２０  ハンドル
９２１  軸部（螺子）
１３  ベース
１３０  被押圧部
１３１  連結部
１３１１  螺子孔（第２螺子孔）
１３２  仮固定部
１３２１  螺子孔（第１螺子孔）
１４  螺子
１４０  軸部
【図１】
2019078000.tif 000003
【図２】
2019078000.tif 000004
【図３】
2019078000.tif 000005
【図４】
2019078000.tif 000006
【図５】
2019078000.tif 000007
【図６】
2019078000.tif 000008
【図７】
2019078000.tif 000009
【図８】
2019078000.tif 000010
【図９】
2019078000.tif 000011
【図１０】
2019078000.tif 000012
【図１１】
2019078000.tif 000013
【図１２】
2019078000.tif 000014
【図１３】
2019078000.tif 000015
【図１４】
2019078000.tif 000016
【図１５】
2019078000.tif 000017
【図１６】
2019078000.tif 000018
【図１７】
2019078000.tif 000019
【図１８】
2019078000.tif 000020
【図１９】
2019078000.tif 000021
【図２０】
2019078000.tif 000022
【図２１】
2019078000.tif 000023
【図２２】
2019078000.tif 000024
【図２３】
2019078000.tif 000025
【図２４】
2019078000.tif 000026
【図２５】
2019078000.tif 000027